(57)【要約】【課題】利便性及び信頼性を向上できる扉開閉機構及びそれを備えた冷蔵庫を提供する。【解決手段】機器本体２の開口部３ａの中程を境に両側を覆う第１、第２扉１１、１２開口部３ａの両端部でそれぞれ枢支して開口部３ａを開閉する扉開閉機構１０において、第１、第２扉１１、１２の少なくとも一方は閉じた際に他方に面した側壁面から突出する突出位置と開いた際に前記突出位置よりも後退する後退位置との間を可動する可動境界部２１を備え、閉じられた第１、第２扉１１、１２間を可動境界部２１によって密閉した。【選択図】図１
2010008023.tif 000002
【特許請求の範囲】
【請求項１】
機器本体の開口部の中程を境に両側を覆う第１、第２扉を前記開口部の両端部でそれぞれ枢支して前記開口部を開閉する扉開閉機構において、第１、第２扉の少なくとも一方は閉じた際に他方に面した側壁面から突出する突出位置と開いた際に前記突出位置よりも後退する後退位置との間を可動する可動境界部を備え、閉じられた第１、第２扉間を前記可動境界部によって密閉することを特徴とする扉開閉機構。
【請求項２】
前記可動境界部を第１、第２扉の両方に設けるとともに、前記可動境界部を前記突出位置から前記後退位置の方向に付勢する第１付勢部と、第１、第２扉にそれぞれ回動自在に支持されて一端が前記開口部の周囲に当接して他端が前記可動境界部に当接するレバー部材と、前記レバー部材の一端を第１、第２扉から突出させる方向に前記レバー部材を付勢する第２付勢部とを設け、
第１扉または第２扉を閉じた際に前記レバー部材の一端が前記開口部の周囲に当接して前記レバー部材が回動し、前記レバー部材の他端によって前記可動境界部が前記突出位置に押し出されるとともに、
第１扉または第２扉を開いた際に第１付勢部によって前記可動境界部が前記後退位置に後退して第２付勢部によって前記レバー部材の一端が第１、第２扉から突出することを特徴とする請求項１に記載の扉開閉機構。
【請求項３】
前記可動境界部を第１、第２扉の一方に設けるとともに、第１、第２扉の一方に回動自在に支持されるレバー部材と、前記可動境界部を前記突出位置から前記後退位置の方向に付勢する第１付勢部と、前記レバー部材の一端を第１、第２扉から突出させる方向に前記レバー部材を付勢する第２付勢部と、機器本体に回動自在に支持されて前記レバー部材の一端及び第１、第２扉の他方が回動中心を挟んで両側にそれぞれ当接する位置に配される当接部材とを設け、
第１扉及び第２扉を閉じた際に、第１、第２扉の他方が当接する前記当接部材に前記レバー部材の一端が当接して前記レバー部材が回動し、前記レバー部材の他端によって前記可動境界部が前記突出位置に押し出され、
第１、第２扉の一方を開いた際に第１付勢部によって前記可動境界部が前記後退位置に後退して第２付勢部によって前記レバー部材の一端が第１、第２扉から突出し、
第１、第２扉の他方を開いた際に第１付勢部によって前記可動境界部が前記後退位置に後退して第２付勢部によって前記レバー部材の一端が第１、第２扉から突出して前記当接部材が回動することを特徴とする請求項１に記載の扉開閉機構。
【請求項４】
前記可動境界部または第１、第２扉を閉じた際に前記可動境界部に対向する面に可撓性のパッキンを設けたことを特徴とする請求項２または請求項３に記載の扉開閉機構。
【請求項５】
前記可動境界部が前記側壁面に回動自在に支持され、前記レバー部材の押圧によって回動することを特徴とする請求項２〜請求項４のいずれかに記載の扉開閉機構。
【請求項６】
請求項１〜請求項５のいずれかに記載の扉開閉機構を備えたことを特徴とする冷蔵庫。
【発明の詳細な説明】
【技術分野】
【０００１】
本発明は、開口部の中程を境に両側を覆う第１、第２扉を有した扉開閉機構及びそれを備えた冷蔵庫に関する。
【背景技術】
【０００２】
図１１は従来の扉開閉機構を有した冷蔵庫の上面断面図を示している。冷蔵庫１は貯蔵室３を有する本体部２を備え、貯蔵室３の前面の開口部３ａを開閉する第１、第２扉１１、１２を有した扉開閉機構１０が設けられる。第１、第２扉１１、１２は開口部３ａの中程を境に両側を覆い、開口部３ａの両端の軸部１１ａ、１２ａで枢支される。第１、第２扉１１、１２の互いに近い側の端部には把手１１ｂ、１２ｂが設けられ、把手１１ｂ、１２ｂを把持して第１、第２扉１１、１２が左右に回動して開かれる。
【０００３】
図１２に示すように第１、第２扉１１、１２を隙間なく設置すると、第１、第２扉１１、１２の端縁が軸部１１ａ、１２ａを中心に一点鎖線Ｒに示すように回動するため互いに干渉する。このため、図１１に示すように第１、第２扉１１、１２間には隙間Ｄが設けられるとともに、隙間Ｄを塞ぐ回転仕切体４が設けられている。
【０００４】
回転仕切体４は特許文献１に開示されるように一方の例えば第１扉１１に回動自在に支持され、開口部３ａの上下の壁面に設けた案内溝（不図示）に摺動案内されて回動する。第１扉１１を開く際には回転仕切体４は案内溝の案内により第１扉１１の後方に延びる方向に配され、第２扉１２との干渉が回避される。第１扉１１を閉じると、回転仕切体４は案内溝の案内によって図１１に示すように第１、第２扉１１、１２の背面に跨って配置される。第２扉１２は回転仕切体４の前面に密着し、隙間Ｄによる冷気漏れが防止される。
【０００５】
【特許文献１】特開２００２−２９５９６９号公報（第２頁−第４頁、第２図）
【発明の開示】
【発明が解決しようとする課題】
【０００６】
しかしながら、上記従来の扉開閉機構１０によると、第１扉１１を閉じて第２扉１２のみを開いた状態で隙間Ｄよりも図中、右方に回転仕切体４が突出する。このため、貯蔵物の出し入れに対して回転仕切体４が邪魔になり、冷蔵庫１の利便性が悪くなる問題があった。また、回転仕切体４が案内溝の摺動案内により回動するため案内機構が複雑になり、動作不良を生じやすく扉開閉機構１０の信頼性が低い問題もあった。
【０００７】
更に、貯蔵室内の容積を広く確保するためには回転仕切体４の奥行方向の厚さを大きくすることができない。このため、回転仕切体４の断熱性能が低くなり、回転仕切体４の庫外側の面に結露が生じやすくなる。これにより、回転仕切体４の結露を防止するためのヒータ等を設ける必要が生じ、省エネルギー性が低くなる問題もあった。
【０００８】
本発明は、利便性、信頼性及び省エネルギー性を向上できる扉開閉機構及びそれを備えた冷蔵庫を提供することを目的とする。
【課題を解決するための手段】
【０００９】
上記目的を達成するために本発明は、機器本体の開口部の中程を境に両側を覆う第１、第２扉を前記開口部の両端部でそれぞれ枢支して前記開口部を開閉する扉開閉機構において、第１、第２扉の少なくとも一方は閉じた際に他方に面した側壁面から突出する突出位置と開いた際に前記突出位置よりも後退する後退位置との間を可動する可動境界部を備え、閉じられた第１、第２扉間を前記可動境界部によって密閉することを特徴としている。
【００１０】
この構成によると、第１、第２扉は例えば左右に配置されて互いに対向する側壁面に可動境界部が設けられる。第１、第２扉を閉じると両方の可動境界部が第１、第２扉の側壁面から突出して突出位置に配され、互いに密着して第１、第２扉間が密閉される。第１、第２扉を開くと両可動境界部は突出位置から後退した後退位置に配置され、第１、第２扉の回動時に両可動境界部の干渉が回避される。可動境界部は第１、第２扉の一方にのみ設けてもよい。
【００１１】
また本発明は、上記構成の扉開閉機構において、前記可動境界部を第１、第２扉の両方に設けるとともに、前記可動境界部を前記突出位置から前記後退位置の方向に付勢する第１付勢部と、第１、第２扉にそれぞれ回動自在に支持されて一端が前記開口部の周囲に当接して他端が前記可動境界部に当接するレバー部材と、前記レバー部材の一端を第１、第２扉から突出させる方向に前記レバー部材を付勢する第２付勢部とを設け、
第１扉または第２扉を閉じた際に前記レバー部材の一端が前記開口部の周囲に当接して前記レバー部材が回動し、前記レバー部材の他端によって前記可動境界部が前記突出位置に押し出されるとともに、
第１扉または第２扉を開いた際に第１付勢部によって前記可動境界部が前記後退位置に後退して第２付勢部によって前記レバー部材の一端が第１、第２扉から突出することを特徴としている。
【００１２】
この構成によると、レバー部材は開いた状態の第１、第２扉から一端が開口部側に突出して設けられる。第１扉または第２扉を閉じるとレバー部材の一端が開口部の周囲に当接してレバー部材が回動する。これにより、レバー部材の他端が可動境界部を押圧して可動境界部が突出位置に配置される。第１扉または第２扉を開くと第１付勢部の付勢によって可動境界部が後退位置に配置される。また、レバー部材は第２付勢部の付勢によって一端が第１扉または第２扉から開口部側に突出する位置に回動する。第１、第２付勢部を共通にしてもよい。
【００１３】
また本発明は、上記構成の扉開閉機構において、前記可動境界部を第１、第２扉の一方に設けるとともに、第１、第２扉の一方に回動自在に支持されるレバー部材と、前記可動境界部を前記突出位置から前記後退位置の方向に付勢する第１付勢部と、前記レバー部材の一端を第１、第２扉から突出させる方向に前記レバー部材を付勢する第２付勢部と、機器本体に回動自在に支持されて前記レバー部材の一端及び第１、第２扉の他方が回動中心を挟んで両側にそれぞれ当接する位置に配される当接部材とを設け、
第１扉及び第２扉を閉じた際に、第１、第２扉の他方が当接する前記当接部材に前記レバー部材の一端が当接して前記レバー部材が回動し、前記レバー部材の他端によって前記可動境界部が前記突出位置に押し出され、
第１、第２扉の一方を開いた際に第１付勢部によって前記可動境界部が前記後退位置に後退して第２付勢部によって前記レバー部材の一端が第１、第２扉から突出し、
第１、第２扉の他方を開いた際に第１付勢部によって前記可動境界部が前記後退位置に後退して第２付勢部によって前記レバー部材の一端が第１、第２扉から突出して前記当接部材が回動することを特徴としている。
【００１４】
この構成によると、可動境界部は例えば第２扉に設けられる。レバー部材は開いた状態の第２扉から一端が開口部側に突出して設けられる。第１扉を閉じると第１扉に当接する当接部材が位置決めされ、第２扉を閉じるとレバー部材の一端が当接部材に当接してレバー部材が回動する。これにより、レバー部材の他端が可動境界部を押圧して可動境界部が突出位置に配置される。第２扉を開くと第１付勢部の付勢によって可動境界部が後退位置に配置される。また、レバー部材は第２付勢部の付勢によって一端が第２扉から突出する位置に回動する。第２扉を閉じた状態で第１扉を開くと、当接部材が回動可能になる。これにより、第１付勢部の付勢によって可動境界部が後退位置に配置される。また、第２付勢部の付勢によって当接部材とともにレバー部材の一端が第２扉から突出する位置に回動する。
【００１５】
また本発明は、上記構成の扉開閉機構において、前記可動境界部または第１、第２扉を閉じた際に前記可動境界部に対向する面に可撓性のパッキンを設けたことを特徴としている。この構成によると、第１、第２扉を閉じると第１、第２扉の一方または両方に設けた可動境界部が側壁面から突出して突出位置に配され、例えば両可動境界部に設けたパッキンが互いに密着して第１、第２扉間が密閉される。パッキンは両可動境界部の一方に設けてもよい。また、可動境界部を一方に設けた場合は他方の扉の側壁面にパッキンを設けてもよい。
【００１６】
また本発明は、上記構成の扉開閉機構において、前記可動境界部が前記側壁面に回動自在に支持され、前記レバー部材の押圧によって回動することを特徴としている。この構成によると、可動境界部は例えば一端が軸支され、回動によって突出位置と後退位置との間を移動する。
【００１７】
また本発明の冷蔵庫は、上記各構成の扉開閉機構を備えたことを特徴としている。
【発明の効果】
【００１８】
本発明によると、第１、第２扉の少なくとも一方に設けた可動境界部が第１、第２扉を閉じた際に側壁面から突出する突出位置と開いた際に突出位置よりも後退する後退位置との間を可動するので、従来のような回転仕切体を設けずに第１、第２扉間を密閉することができる。これにより、一方の扉を開いた際の貯蔵物の出し入れがし易くなり、扉開閉装置を設けた冷蔵庫等の機器の利便性を向上することができる。また、機器本体と摺動して回動する回転仕切体が扉に設けられないため構造が簡素化され、扉開閉装置及び冷蔵庫の信頼性を向上することができる。更に、可動境界部を薄く形成するとともに第１、第２扉を閉じた際の奥行方向に長く形成することができ、断熱性が向上して省エネルギー性を向上することができる。
【発明を実施するための最良の形態】
【００１９】
以下に本発明の実施形態を図面を参照して説明する。図１は第１実施形態の冷蔵庫を示す上面断面図である。説明の便宜上、前述の図１１に示す従来例と同様の部分には同一の符号を付している。冷蔵庫１は貯蔵室３を有する本体部２を備え、貯蔵室３の前面の開口部３ａを開閉する第１、第２扉１１、１２を有した扉開閉機構１０が設けられる。
【００２０】
第１、第２扉１１、１２は開口部３ａの中程を境に両側を覆い、開口部３ａの両端の軸部１１ａ、１２ａで枢支される。第１、第２扉１１、１２の互いに近い側の端部には把手１１ｂ、１２ｂが設けられ、把手１１ｂ、１２ｂを把持して第１、第２扉１１、１２が左右に回動して開かれる。
【００２１】
第１、第２扉１１、１２は閉じた際に互いに対向する側壁面１１ｃ、１２ｃに可動の可動境界部２１が設けられる。可動境界部２１は軸部１１ａ、１２ａの軸方向（上下方向）に延びて配され、互いに対向する面にマグネット（不図示）を内包した可撓性のパッキン２５が設けられる。マグネットの吸着によって両方の可動境界部２１が密着する。一方のマグネットを非着磁の磁性体にしてもよい。また、パッキン２５を一方の可動境界部２１に設け、他方の可動境界部２１にマグネットまたは磁性体を設けてもよい。
【００２２】
図２は第１扉１１を閉じた状態の正面図を示している。同図において、第２扉１２は記載を省略しているが第１扉１１と同様に構成される。可動境界部２１の上部及び下部には第１、第２扉１１、１２の内部に延びるスライド部２６が一体に設けられる。第１、第２扉１１、１２にはスライド部２６が嵌合する溝状または孔状のスライドガイド２７が設けられる。スライドガイド２７によってスライド部２６が摺動案内され、可動境界部２１が第１、第２扉１１、１２の前面に平行な水平方向にスライド移動可能になっている。
【００２３】
スライド部２６の後端はスライドガイド２７の溝または孔よりも大きく形成されたストッパ２６ａが形成される。ストッパ２６ａがスライドガイド２７に当接して可動境界部２１は側壁面１１ｃ、１２ｃからの突出量が規制される。
【００２４】
可動境界部２１にはスライド部２６近傍に引張りバネ２３（第１付勢部）の一端が取り付けられる。引張りバネ２３の他端は第１、第２扉１１、１２に取り付けられる。これにより、可動境界部２１は側壁面１１ｃ、１２ｃから突出した位置から後退する方向に付勢される。
【００２５】
図１、図２に示すように、第１、第２扉１１、１２の上部及び下部には軸部２２ａで回動自在に支持されるレバー部材２２が設けられる。レバー部材２２は一方の端部２２ｂが第１、第２扉１１、１２を閉じた際に開口部３ａの周囲の断熱壁７に当接する。この時、レバー部材２２が回動して他方の端部２２ｃが可動境界部２１に当接し、引張りバネ２３の付勢力に抗して可動境界部２１を押し出す。
【００２６】
これにより、両方の可動境界部２１は側壁面１１ｃ、１２ｃから突出した突出位置に配置される。この時、弾性変形により伸縮するパッキン２５によって両方の可動境界部２１が密着する。従って、第１、第２扉１１、１２間が可動部材２１によって密閉される。尚、パッキン２５が設けられない場合は、両方の可動境界部２１が互いに押しつけられて可動境界部２１またはレバー部材２２の弾性変形により密着する。
【００２７】
第１、第２扉１１、１２を開くと図３に示すように、引張りバネ２３の付勢力によって可動境界部２１が突出位置（図中、一点鎖線Ａで示す）から後退して後退位置に配される。この時、レバー部材２２は可動境界部２１に端部２２ｃが押圧されて回動し、一方の端部２２ｂが第１、第２扉１１、１２の背面から突出する。これにより、両方の可動境界部２１の摺動による損傷を防止して第１、第２扉１１、１２を開くことができる。
【００２８】
尚、第１扉１１を閉じた後に第２扉１２を閉じる際には第１扉１１の可動境界部２１は側壁面１１ｃから突出している。この時、第１扉１１の可動境界部２１はストッパ２６ａによって突出量が規制され、後退位置に配された第２扉１２の可動境界部２１との干渉が防止される。これにより、第１扉１１の可動境界部２１に干渉せずに第２扉１２を閉じることができる。
【００２９】
本実施形態によると、可動境界部２１が第１、第２扉１１、１２を閉じた際に側壁面１１ｃ、１２ｃから突出する突出位置と開いた際に突出位置よりも後退する後退位置との間を可動するので、従来のような回転仕切体４（図１１参照）を設けずに第１、第２扉１１、１２間を密閉することができる。これにより、一方の扉を開いた際の貯蔵物の出し入れがし易くなり、扉開閉装置１０を設けた冷蔵庫１の利便性を向上することができる。また、機器本体（本体部２）の摺動案内により回動する回転仕切体４が扉に設けられないため構造が簡素化され、扉開閉装置１０及び冷蔵庫１の信頼性を向上することができる。
【００３０】
また、第１、第２扉１１、１２に回動自在に支持されるレバー部材２２と、可動境界部２１を突出位置から後退位置の方向に付勢する引張りバネ２３（第１付勢部）とを設けたので、突出位置と後退位置との間を移動する可動境界部２１を容易に実現することができる。
【００３１】
尚、引張りバネ２３（第１付勢部）によって可動境界部２１及びレバー部材２２を付勢しているが、レバー部材２２を付勢する付勢手段（第２付勢部）を別途設けてもよい。しかしながら、第１、第２付勢部を共通の引張りバネ２３により構成することにより部品点数を削減することができる。
【００３２】
また、可動境界部２１を第１、第２扉１１、１２の両方に設け、少なくとも一方の可動境界部２１の他方に対向する面に可撓性のパッキン２５を設けたので、パッキン２５の弾性によって両方の可動境界部２１を容易に密着させることができる。
【００３３】
更に、可動境界部２１を薄く形成するとともに第１、第２扉１１、１２を閉じた際の奥行方向に長く形成することができる。これにより、空気断熱層やパッキン２５を奥行方向に長く確保して断熱性を向上することができる。従って、結露防止用のヒータ等を必要とせず、省エネルギー性を向上することができる。
【００３４】
次に、図４は第２実施形態の冷蔵庫を示す側面断面図である。説明の便宜上、前述の図１〜図３に示す第１実施形態と同一の部分は同一の符号を付している。本実施形態は第１、第２扉１１、１２の一方にのみ可動境界部２１が設けられ、本体部２に当接部材１４が設けられる。その他の部分は第１実施形態と同様である。
【００３５】
当接部材１４は本体部２の断熱壁７（図２参照）に軸部１４ａで回動自在に設けられる。当接部材１４は第２扉１２に設けたレバー部材２２及び第１扉１１の背面に設けた突起部１１ｄが軸部１４ａを挟んで両側に当接可能な位置に配置される。
【００３６】
第１扉１１を閉じた状態では第１扉１１の突起部１１ｄが当接部材１４の一端に当接し、当接部材１４の図中、反時計回りの回動が規制される。この時、第２扉１２を閉じるとレバー部材２２の一方の端部２２ｂが当接部材１４の他端に当接し、レバー部材２２が回動して可動境界部２１を押し出す。これにより、可動境界部２１は突出位置に配され、可動境界部２１の端面に設けた可撓性のパッキン２５が第１扉１１の側壁面１１ｃに密着する。尚、パッキン２５を可動境界部２１と第１扉１１の側壁面１１ｃとの両方に設けてもよく、第１扉１１の側壁面１１ｃにのみ設けてもよい。
【００３７】
第２扉１２を開くと引張りバネ２３の付勢力によって可動境界部２１が突出位置から後退して後退位置に配される。この時、レバー部材２２は可動境界部２１に端部２２ｃが押圧されて回動し、一方の端部２２ｂが第２扉１２の背面から突出する。これにより、可動境界部２１と第１扉１１との摺動による損傷を防止して第２扉１２を開くことができる。
【００３８】
また、第２扉１２を閉じた状態で第１扉１１を開くと、当接部材１４が回動できるため引張りバネ２３の付勢力によって可動境界部２１が後退位置に後退する。そして、レバー部材２２は可動境界部２１に端部２２ｃが押圧されて回動して端部２２ｂが第２扉１２の背面から突出し、当接部材１４が回動する。これにより、可動境界部２１と第１扉１１との摺動による損傷を防止して第１扉１１を開くことができる。
【００３９】
本実施形態によると、第１実施形態と同様に可動境界部２１が第１、第２扉１１、１２を閉じた際に側壁面１２ｃから突出する突出位置と開いた際に突出位置よりも後退する後退位置との間を可動するので、従来のような回転仕切体４（図１１参照）を設けずに第１、第２扉１１、１２間を密閉することができる。これにより、一方の扉を開いた際の貯蔵物の出し入れがし易くなり、扉開閉装置１０を設けた冷蔵庫１の利便性を向上することができる。また、機器本体と摺動して回動する回転仕切体４が扉に設けられないため構造が簡素化され、扉開閉装置１０及び冷蔵庫１の信頼性を向上することができる。
【００４０】
また、可動境界部２１を一方の第２扉１２に設けるとともに、レバー部材２２及び引張りバネ２３（第１付勢部）に加えて回動自在の当接部材１４を設けたので、部品点数を削減できるとともに突出位置と後退位置との間を移動する可動境界部２１を容易に実現することができる。尚、レバー部材２２を付勢する付勢手段（第２付勢部）を別途設けてもよい。
【００４１】
更に、可動境界部２１を薄く形成するとともに第１、第２扉１１、１２を閉じた際の奥行方向に長く形成することができる。これにより、空気断熱層やパッキン２５を奥行方向に長く確保して断熱性を向上することができる。従って、結露防止用のヒータ等を必要とせず、省エネルギー性を向上することができる。
【００４２】
次に、図５は第３実施形態の冷蔵庫の第１扉の可動境界部近傍を示す上面断面図である。また、図６は第１扉１１の底面を示す上面図である。説明の便宜上、前述の図１〜図３に示す第１実施形態と同様の部分は同一の符号を付している。尚、第１扉１１の下部の構造について説明するが、上部についても同様に構成される。また、第２扉１２（図１参照）も第１扉１１と同様に構成されている。
【００４３】
第１扉１１は側面板４２、前面板４３、背面板４４及びドアキャップ４５により囲まれ、内部に発泡断熱材４６が充填されている。第１扉１１は前面板４３の右側側方に側面板４２が組み付けられて上下にドアキャップ４５が被嵌され、ドア小組品が形成される。ドア小組品は発泡冶具にセットされ、ドア小組品内の空間に発泡断熱材４６の原液を注入して背面板４４により塞がれる。そして、発泡断熱材４６を発泡硬化させてドア中組品が形成される。ドア中組品には側面板４２の前方に把手１１ｂがビス止めや接着等により取り付けられる。
【００４４】
ドア中組品の背面板４４には断熱壁７（図２参照）に密着するパッキン４０が貼着される。側面板４２にはパッキン４０に連続するパッキン４１が貼着される。パッキン４０、４１の上面には独立発泡体の軟質スポンジ（例えば、軟質ウレタン）等の可撓性部材から成る補助シール４８が設けられる。補助シール４８は可動境界部２１の下面に接するとともに、第１、第２扉１１、１２に設けられる補助シール４８が互いに接する。これにより、可動境界部２１の下方を遮蔽して冷気漏れを防止する。
【００４５】
下方のドアキャップ４５の下面にはレバー部材２２の軸部２２ａとなるボス軸３０が突設される。レバー部材２２は孔部を有したボス部２２ｄが設けられ、ボス軸３０にボス２２ｄの孔部が嵌合してレバー部材２２が回動自在に取り付けられる。レバー部材２２はＬ字状に形成され、一方の端部２２ｂが第１扉１１の背面板４４（図５参照）から突出して配されて他方の端部２２ｃが側面板４２から突出して配される。
【００４６】
レバー部材２２のボス部２２ｄには捻りバネ３９（第２付勢部）が装着される。捻りバネ３９の一方の開放端３９ａはレバー部材２２に固定されて他方の開放端３９ｂはドアキャップ４５に固定される。開放端３９ａ、３９ｂはレバー部材２２及びドアキャップ４５に設けた孔部（不図示）に挿入して固定される。捻りバネ３９は両方の開放端３９ａ、３９ｂが近づく方向に弾性力が加わり、図中、時計回りにレバー部材２２を付勢する。
【００４７】
尚、ドアキャップ４５と一体のボス軸３０やバネ３９の取付部を別部材により形成してドアキャップ４５にビス止め等により取り付けてもよい。これにより、ボス軸３０や捻りバネ３９の取付部をポリアセタール樹脂等の耐衝撃樹脂により形成して強度を向上することができる。
【００４８】
ドアキャップ４５の下面にはレバー部材２２が配される隙間を有して支持板３７がネジ３７ｂで取り付けられる。支持板３７は側面板４２から側方に突出し、ホルダピン３５がカシメ等によって上方に突出して設けられる。支持板３７の第２扉１２側の端面には切り起しから成る突起部３７ａが上方に突出して設けられる。
【００４９】
可動境界部２１はホルダ支え３４、パッキン２５、パッキン押え３６、パッキンホルダ３３を有したパッキン小組品４７から成っている。パッキン小組品４７はホルダ支え３４がホルダピン３５に嵌合して回動自在に設けられる。パッキン押え３６及びパッキンホルダ３３はホルダ支え３４に取り付けられる。パッキン押え３６はホルダ支え３４に側方からねじ込まれるビス（不図示）によって取り付けられる。
【００５０】
パッキンホルダ３３の後部には可撓性のヒレ３３ｂ、３３ｃが設けられる。ヒレ３３ｂは背面板４４の庫内側突き出し部分に接し、ヒレ３３ｃは側面板４２に接している。これにより、ドア中組品と可動境界部２１との間からの冷気漏れが防止される。尚、パッキンホルダ３３はヒレ３３ｂ、３３ｃと他の部分とを異なる材料によって押し出し成型により同時に形成することができる。例えば、ヒレ３３ｂ、３３ｃをスチレン系熱可塑性エラストマーやオレフィン系熱可塑性エラストマー等の軟質樹脂にし、他の部分をＰＳ樹脂や硬質塩化ビニール等の硬質樹脂にするとよい。
【００５１】
図７は図５と異なる断面の第１扉１１を示している。ホルダ支え３４は第２扉１２側を開口する凹部３４ｃを有し、凹部３４ｃの内側に突出した突起部３４ａが上下方向に所定間隔で設けられる。パッキンホルダ３３は押出成形等によって形成され、凹部３４ａに侵入する２つの脚部３３ａが上下方向に延びて設けられる。脚部３３ａの先端には外側に突出する爪部３３ｂが設けられ、爪部３３ｂが突起部３４ａと係合してパッキンホルダ３３がホルダ支え３４に取り付けられる。パッキン押え３６及びパッキンホルダ３３を熱や超音波等による溶着や接着剤によってホルダ支え３４に取り付けてもよい。
【００５２】
パッキン２５は可撓性部材から成り、複数の隔離された空気層２５ａが内部に形成される。空気層２５ａによってパッキン２５の断熱性を向上することができる。パッキン２５内には第２扉１２に対向してマグネット３２が設けられる。第１扉１１に設けたマグネット３２は前部がＮ極で後部がＳ極に形成され、第２扉１２に設けたマグネット３２は前部がＳ極で後部がＮ極に形成される。これにより、第１、第２扉１、１２のマグネット３２が互いに引き付けられてパッキン２５が密着する。第１、第２扉１１、１２の一方のマグネット３２を非着磁の磁性体に替えてもよい。これにより、組立て時の極性の間違いを防止することができる。
【００５３】
パッキン２５の前端には溝部２５ｂが形成され、後端には突起部２５ｃが形成される。溝部２５ｂにはパッキン押え３６に設けた突起部３６ａが挿入され、パッキン２５の前部がパッキン押え３６及びホルダ支え３４に挟持される。突起部２５ｃはパッキンホルダ３３に設けた凹部３３ｄに押入される。これにより、パッキン２５がホルダ支え３４、パッキンホルダ３３及びパッキン押え３６と一体化され、パッキン小組品４７が形成される。
【００５４】
図６において、ホルダ支え３４の下部の凹部３４ｃ内には一端が支持板３７の突起部３７ａに当接する圧縮バネ３８（第１付勢部）が配される。これにより、ホルダ支え３４を有する可動境界部２１は図中、反時計回りに付勢される。
【００５５】
凹部３４ｃの外面にはレバー部材２２の端部２２ｃが当接する突起部３４ｄが設けられる。レバー部材２２の端部２２ｃは突起部３４ｄとの当接面２２ｅが軸部２２ａと同心の円弧状に形成される。また、端部２２ｃには当接面２２ｅの後方に連続して急激に突起部３４ｄから離れる傾斜面２２ｆが形成される。
【００５６】
図５、図６に示すように第１、第２扉１１、１２を閉じた状態では本体部２の断熱壁７にパッキン４０が密着し、レバー部材２２の一方の端部２２ｂが断熱壁７に当接する。これにより、レバー部材２２の他方の端部２２ｃは突起部３４ｄを押し出し、パッキン小組品４７から成る可動境界部２１が回動して突出位置に配される。この時、弾性変形により伸縮するパッキン２５によって両方の可動境界部２１が密着する。これにより、第１、第２扉１１、１２間が可動部材２１によって密閉される。
【００５７】
第１扉１１を開くと図８、図９に示すように、捻りバネ３９の付勢力によってレバー部材２２が図中、時計回りに回動する。そして、レバー部材２２の傾斜面２２ｆがホルダ支え３４の突起部３４ｄに当接し、圧縮バネ３８の付勢力によって可動境界部２１が図中、反時計回りに回動する。これにより、可動境界部２１が突出位置から後退して後退位置に配される。第２扉１２を開く場合も同様に動作する。従って、両方の可動境界部２１の摺動による損傷を防止して第１、第２扉１１、１２を開くことができる。
【００５８】
尚、第１、第２扉１１、１２を開き始めた際には第１、第２扉１１、１２のパッキン小組品４７が互いに密着している。このため、パッキン２５は他方のパッキン２５に引かれて動きが阻害され、使用者は第１扉１１の開放動作を重く感じる。しかし、レバー部材２２の一方の端部２２ｂが背面板４４から所定の突出量（例えば、４ｍｍ〜８ｍｍ）になると、パッキン２５が他方のパッキン２５から離れる。従って、開放動作の重い期間が初期の短い期間に限られるため特に支障なく第１、第２扉１１、１２を開放することができる。
【００５９】
第１、第２扉１１、１２を開放状態から閉じる場合は上記と逆の動作となる。そして、パッキン２５は他方のパッキン２５から離れているため、扉閉止時の動作の阻害は少ない。
【００６０】
尚、マグネット２５をパッキン３２の前部に設けているが、後部に設けてもよい。これにより、パッキン２５の移動量は後部側が大きいため、扉開放時にマグネット３２が早期に他方から離れる。従って、両方のパッキン２５の引き付け合いの影響をより低減することができる。
【００６１】
本実施形態によると、第１実施形態と同様に可動境界部２１が第１、第２扉１１、１２を閉じた際に突出位置に配され、開いた際に後退位置に配されるので、従来のような回転仕切体４（図１１参照）を設けずに第１、第２扉１１、１２間を密閉することができる。これにより、一方の扉を開いた際の貯蔵物の出し入れがし易くなり、扉開閉装置１０を設けた冷蔵庫１の利便性を向上することができる。また、機器本体と摺動して回動する回転仕切体４が扉に設けられないため構造が簡素化され、扉開閉装置１０及び冷蔵庫１の信頼性を向上することができる。
【００６２】
また、可動境界部２１はホルダピン３５を中心に回動するため、突出位置と後退位置との間を可動する可動境界部２１をより簡単な構造で故障も少なく実現することができる。
【００６３】
また、可動境界部２１を突出位置に押し出す際に突起部３４ｄに当接する当接面２２ｄがレバー部材２２の軸部２２ａと同心の円弧状に形成されるので、圧縮バネ３８（第１付勢部）の付勢力が可動境界部２１のホルダ支え３４を介してレバー部材２２の回動中心に向かって加わる。従って、圧縮バネ３８の付勢力によってレバー部材２２が位置変動しないため、可動境界部２１を突出位置に確実に保持することができる。
【００６４】
加えて、補助シール４８、ヒレ３３ｂ、３３ｃ、パッキン２５によってシール性や断熱性を向上することができる。パッキンホルダ３３を発泡断熱樹脂により形成すると、より断熱性を向上できる。また、側面板４２とホルダ支え３４との空間や凹部３４ｃ内の空間（図５、図８参照）に独立した発泡体から成るスポンジ状の部材を設けてもよい。これにより、一層断熱性が向上して熱ロスを防止することができ、省エネルギー性を向上することができる。
【００６５】
本実施形態において、第２実施形態と同様に第１、第２扉１１、１２の一方にのみレバー部材２２や可動境界部２１を設けてもよい。
【００６６】
次に、図１０は第４実施形態の冷蔵庫の第１扉の可動境界部近傍を示す上面断面図である。説明の便宜上、前述の図５〜図９に示す第３実施形態と同様の部分は同一の符号を付している。尚、第２扉１２（図１参照）も第１扉１１と同様に構成されている。本実施形態は第１、第２扉１１、１２にカバー５６が設けられる。その他の部分は第３実施形態と同様である。
【００６７】
第１扉１１はドア中組品形成後に側面版４２の後部にカバー５６がビス止め等によって取り付けられる。カバー５６は可動境界部２１を形成するパッキン小組品４７の後方を覆い、パッキンホルダ３３が出入する。パッキンホルダ３３に設けられる可撓性のヒレ３３ｂ、３３ｃによってカバー５６と可動境界部２１との間がシールされる。
【００６８】
カバー５６の上下の端部と貯蔵室の断熱壁７（図２参照）との隙間は少なくとも１０ｍｍ程度設けられる。この隙間は第１扉１１に設けたパッキン４０、４１に隣接した補助シール４８がカバー５６に接触してシールされる。
【００６９】
また、マグネット３２がパッキン２５の前部及び後部に設けられる。これにより、第１、第２扉１１、１２間の密着力をより向上することができる。
【００７０】
本実施形態によると、第３実施形態と同様の効果を得ることができる。加えて、側面版４２の後部に可動境界部２１の後方を覆うカバー５６を設けたので、前述の図５の場合よりもヒレ３３ｂ、３３ｃによるシールが容易になる。これにより、移動する可動境界部２１とドア中組品との間のシールをより確実に行うことができる。また、カバー５６の開口面とパッキンホルダ３３との隙間Ｈ（図１０参照）を狭くするとより望ましい。これらによって、より断熱性を向上でき、省エネルギー性を向上することができる。
【００７１】
尚、図５〜図１０において、図が複雑になるため一部（前面板４３、背面板４４、ヒレ３３ｂ、３３ｃ等）について断面を示すハッチングを省略している。
【００７２】
第１〜第４実施形態において、扉開閉機構１０を備えた冷蔵庫１について説明しているが、扉開閉機構１０を他の機器に設けてもよい。また、第１、第２扉１１が左右に配されているが、上下や前後に配されていてもよい。
【産業上の利用可能性】
【００７３】
本発明によると、開口部の中程を境に両側を覆う第１、第２扉を有する扉開閉機構及びそれを備えた冷蔵庫に利用することができる。
【図面の簡単な説明】
【００７４】
【図１】本発明の第１実施形態の冷蔵庫を示す上面断面図
【図２】本発明の第１実施形態の冷蔵庫を示す正面図
【図３】本発明の第１実施形態の冷蔵庫の扉を開いた状態を示す上面断面図
【図４】本発明の第２実施形態の冷蔵庫を示す上面断面図
【図５】本発明の第３実施形態の冷蔵庫の第１扉の可動境界部を示す上面断面図
【図６】本発明の第３実施形態の冷蔵庫の第１扉の底面を示す上面図
【図７】本発明の第３実施形態の冷蔵庫の第１扉の可動境界部を示す上面断面図
【図８】本発明の第３実施形態の冷蔵庫の第１扉を開いた状態を示す上面断面図
【図９】本発明の第３実施形態の冷蔵庫の第１扉を開いた状態の底面を示す上面図
【図１０】本発明の第４実施形態の冷蔵庫の第１扉の可動境界部を示す上面断面図
【図１１】従来の冷蔵庫を示す上面断面図
【図１２】冷蔵庫の第１、第２扉の配置を説明する上面断面図
【符号の説明】
【００７５】
１    冷蔵庫
２    本体部
３    貯蔵室
３ａ  開口部
７    断熱壁
１１    第１扉
１２    第２扉
１４    当接部材
２１    可動境界部
２２    レバー部材
２３    引張りバネ（第１付勢部）
２５    パッキン
２６    スライド部
２７    スライドガイド
３３    パッキンホルダ
３４    ホルダ支え
３５    ホルダピン
３６    パッキン押え
３７    支持板
３８    圧縮バネ（第１付勢部）
３９    捻りバネ（第２付勢部）
４０、４１  パッキン
４２    側面版
４３    前面板
４４    背面板
４７    パッキン小組品
５６    カバー
【図１】
2010008023.tif 000003
【図２】
2010008023.tif 000004
【図３】
2010008023.tif 000005
【図４】
2010008023.tif 000006
【図５】
2010008023.tif 000007
【図６】
2010008023.tif 000008
【図７】
2010008023.tif 000009
【図８】
2010008023.tif 000010
【図９】
2010008023.tif 000011
【図１０】
2010008023.tif 000012
【図１１】
2010008023.tif 000013
【図１２】
2010008023.tif 000014